(57)【特許請求の範囲】
【請求項１】
カップを構成する表地と裏地の間にワイヤを装着したブラジャーであって、前記ワイヤは前記表地または前記裏地のどちらか一方にのみ接合されており、前記ワイヤが前記表地に接合されている場合は前記ワイヤと前記裏地が分離し、前記ワイヤが前記裏地に接合されている場合は前記ワイヤと前記表地が分離していると共に、いずれの場合においても、前記表地と裏地とが前記ワイヤの長手方向の途中で部分的に接合されていることを特徴とするワイヤ入りブラジャー。
【請求項２】
前記表地と前記裏地はそれぞれ土台生地を備え、該土台生地を介して前記表地と前記裏地が接合されることを特徴とする請求項１に記載のワイヤ入りブラジャー。
【請求項３】
前記ワイヤが前記表地に接合されている場合は、前記ワイヤが前記裏地にワイヤ長手方向の間隔をおいて部分接合されており、前記ワイヤ長手方向の部分接合部間が前記裏地から分離され、
一方、前記ワイヤが前記裏地に接合されている場合は、前記ワイヤが前記表地にワイヤ長手方向の間隔をおいて部分接合されており、前記ワイヤ長手方向の部分接合部間が前記表地から分離されてあることを特徴とする請求項１または２に記載のワイヤ入りブラジャー。
【発明の詳細な説明】
【０００１】
【発明の属する技術分野】
本発明は、ワイヤ入りブラジャーに関し、ワイヤの取付部位を改良することにより、ワイヤが肌へ与える圧力を低減させ、かつ生産性を向上させるものである。
【０００２】
【従来の技術】
従来のワイヤ入りブラジャーにおいては、ワイヤの肌当たり感を柔らげ、圧迫感を低減させるために様々な改良がなされている。例えば図６で示されるように、ワイヤ３８が袋状のテープ３９に封入されて、表側カップ布４０と裏側カップ布４１の間に挿入され、上側縫着部位４２および下側縫着部位４３においてこれらカップ布とテープが一体縫着されているものが提案されている（特開平７−１３３５０３号公報）。
【０００３】
このワイヤ入りブラジャーによれば、ワイヤは複数枚の布を介しているのでワイヤの肌当たり感が柔らぎ、ワイヤによる圧迫感を低減することができる旨が開示されている。またカップの中にワイヤを入れ込むため、そのラインがアウターに写ることもなくまた肌に直接ワイヤ入りテープが当接しないので肌に跡形が残ることもないという利点も挙げられている。
【０００４】
【発明が解決しようとする課題】
ブラジャーの主な機能は、運動や日常生活の中の様々な動きに対して乳房を支え、また乳房を本来の形に保つことである。そのためにはカップが保形性に優れていることが必要で、保形性を得るにはカップ部分の表地の形を保持することが重要な要素となる。しかし上記従来例のようにカップの表地と裏地が一体縫着されている場合、裏地が乳房の動きに伴って動くと（裏地は乳房に直に接するため、乳房の動きにつられて動き易い）、表地も動いてしまい、表地の形が変化してカップの保形性を保つことが困難であった。
【０００５】
また表地、ワイヤ及び裏地を一体縫着することは製造工程上煩雑であるだけでなく、縫製の際表地にしわがより易く、アウターの外面に写る等の外観不良を引き起こすおそれがあった。
また上記従来例においては、表側カップ布とテープと裏側カップ布が一体縫着されてカップ生地の表地と裏地が密着するため、カップ内外の通気性が悪くなるおそれがあった。ブラジャーは肌に直に着用するもので一般に洗濯回数が多く、通気性が悪いと洗濯後の乾きが遅くなり、特に雨天時においては不都合なものである。また、通気性が悪いと長時間の着用においてムレが生じ、着用感が悪くなるおそれがあった。
【０００６】
本発明は上記問題点を解決するためになされたものであり、その目的とするところは、ワイヤによる圧迫感を軽減し、かつカップの保形性を維持しながら、通気性、製造効率及び外観の良いワイヤ入りブラジャーを提供することにある。
【０００７】
【課題を解決するための手段】
本発明は上記目的を達成するために、以下のような技術的手段を講じた。
すなわち、本発明に係るワイヤ入りブラジャーは、カップを構成する表地と裏地の間にワイヤを装着したブラジャーであって、前記ワイヤは前記表地または前記裏地のどちらか一方にのみ接合されており、前記ワイヤが前記表地に接合されている場合は前記ワイヤと前記裏地が分離し、前記ワイヤが前記裏地に接合されている場合は前記ワイヤと前記表地が分離していると共に、いずれの場合においても、前記表地と裏地とが前記ワイヤの長手方向の途中で部分的に接合されていることを特徴とする。
【０００８】
この手段を採用することにより、ワイヤとワイヤが接合されたカップ生地の間が分離され、表地と裏地が一体接合されない。従って表地が裏地の動きに影響されることがなく、カップの保形性が維持できる。
また前記表地と前記裏地はそれぞれ土台生地を備え、該土台生地を介して前記表地と前記裏地が接合されることを特徴とする。
この手段を講じることにより、土台生地が胸のふくらみと胴体の境界縁より下側（腹側）の胴部にフィットし、腕等の動きによりブラジャー全体が上側（胸側）にずりあがることがなくなる。従って、ワイヤをおおむね一定の位置に保つことができる。
【０００９】
またカップは通常その周縁を接合して形成されているが、本発明はワイヤを一方のカップ生地に接合し、他方のカップ生地から分離するものであるから、少なくともワイヤが接合されているカップ下端縁近傍においては、カップ生地同士を接合してカップを形成することが不都合な場合がある。従って、カップ生地に土台生地を備え、該土台生地を介してカップを形成すれば問題はない。
また前記ワイヤが前記表地に接合されている場合は、前記ワイヤが前記裏地にワイヤ長手方向の間隔をおいて部分接合されており、前記ワイヤ長手方向の部分接合部間が前記裏地から分離され、
一方、前記ワイヤが前記裏地に接合されている場合は、前記ワイヤが前記表地にワイヤ長手方向の間隔をおいて部分接合されており前記ワイヤ長手方向の部分接合部間が前記表地から分離されてあることを特徴とする。
【００１０】
ワイヤが表地または裏地のどちらか一方にしか接合されていないと、カップ内でワイヤが移動し易くなり、カップの保形性を維持することは難しい。上記手段を講じることにより、カップの保形性を保持できる程度にワイヤが固定されても、部分接合（スポット接合）間はワイヤが接合されていない方のカップ生地から分離しているので、裏地、すなわち肌地の動きが表地に伝わることはない。
【００１１】
【発明の実施の形態】
以下、図面に基づいて本発明の実施形態を説明する。図１、図２及び図３は、本発明のワイヤ入りブラジャーに係る第１実施形態で、図１は斜視図、図２は図１のＡ−Ａ線における断面図、図３は背面図である。本発明のワイヤ入りブラジャー１は、左右のカップ２Ｌ、２Ｒと、カップ２Ｌ、２Ｒの上部に接合された肩ひも４Ｌ、４Ｒを持ち、前記カップ２Ｌ、２Ｒはそれぞれ表地２０と裏地２１の二枚の生地より成り、これらの生地の間にワイヤ８が表地２０又は裏地２１のどちらか一方にのみ接合されて構成されている。
【００１２】
また表地２０と裏地２１には土台生地５が備えられている。土台生地５は左右のカップ２Ｌ、２Ｒ間の連結部９から背面に延びる背面布６Ｌ、６Ｒまで一続きになったもので、表側土台生地５ａと裏側土台生地５ｂから構成されている。
また上記土台生地５ａ、５ｂは両者とも縦横に伸縮自在な生地よって構成される。従って着用者のアンダーバストラインにそってぴったりとフィットし、ワイヤ入りブラジャー１が全体としてずり上がるのを防ぐことができる。また着脱が容易に行うことができるようにもなる。本実施形態においては、上記生地としてゴム生地を採用しているが、これに限定されるものではない。
【００１３】
裏側土台生地５ｂのアンダーバストラインには、その全長にわたって長手方向に伸縮自在な下側テープ生地12が接合してあり、また該裏側土台生地５ｂの上側の端縁には、カップ２Ｌ、２Ｒと肩ひも４Ｌ、４Ｒの接合部位から掛止生地１４Ｌ、１４Ｒに至るラインに沿ってその全長に渡り、長手方向に伸縮自在な上側テープ生地１３Ｌ、１３Ｒが接合してある。これらのテープ生地が長手方向に自在に伸縮するので、ワイヤ入りブラジャー１の着脱を容易に行うことができるようになる。更にこれらのテープ生地により、裏側土台生地５ｂの縁が保護され、該縁にほつれ等が発生するのを防ぐことができる。
【００１４】
またカップ２Ｌ、２Ｒの外側には、カップ２Ｌ、２Ｒに隣接して短ワイヤ１１Ｌ、１１Ｒを、上側テープ生地１３Ｌ、１３Ｒと下側テープ生地１２との間の全長に渡って、表側土台生地５ａと裏側土台生地５ｂの間にそれぞれ接合し、土台生地５を張設している。従って、着用の際あるいは着用中に土台生地５がめくれる、よれる等の不都合の発生を回避することができる。
土台生地５の左右の背面布６Ｌ、６Ｒの両端部には、ワイヤ入りブラジャー１を着用する際に前記背面布６Ｌ、６Ｒ両端を掛止するために、掛止生地１４Ｌ、１４Ｒが接合されている。これら掛止生地１４Ｌ、１４Ｒの一方には雄型掛止部材１６が、他方には雌型掛止部材１８が設けられ、これら雌雄の掛止部材１６、１８を互いに掛止して着用する。またこれらの掛止部材は着脱自在である。
【００１５】
本実施形態においては、雄型掛止部材１６として突起状フックを、雌型掛止部材１８としてループ状フックが設けられているが、これらに限定されるものではない。
また先述の肩ひも４Ｌ、４Ｒは、胸側から肩を通って背中側に来るようなループを形成して、それぞれ背面布６Ｌ、６Ｒへ接合されている（図示略）。
本発明におけるカップ２Ｌ、２Ｒは、乳房をそのふくらみにそって包み込む碗のような形状であって、表地２０と裏地２１からなっている。裏地２１はある程度の厚みを持ったパット生地で、例えばポリウレタンフォーム等により形成されている。また裏地の肌側面には不織布が接合されていてもよい。
【００１６】
またカップ２Ｌ、２Ｒの碗のようなカーブにそいつつ、カップ２Ｌ、２Ｒのトップバスト部分を左右に横切って通るライン上にテープ布１９Ｌ、１９Ｒが裏地２１側から接合されていて、カップ２Ｌ、２Ｒの形状を美しく保っている。
なお本発明で採用されるカップは、表地、裏地共にあらかじめプレス成形されているものであっても構わない。
カップ２Ｌ、２Ｒの下端縁３Ｌ、３Ｒは乳房のまるみにそう半円状となっていて、ワイヤ８及びこれを封入するテープ布７は下端縁３Ｌ、３Ｒのラインに沿いその全長にわたって、表地２０に接合される。この際の接合は表地２０に対してのみ行われるため、ワイヤ８はカップ２Ｌ、２Ｒ内部において移動する場合があり、カップの保形性の点より不都合である。かかる不都合を防止するために、カップ２Ｌ、２Ｒそれぞれの下端縁３Ｌ、３Ｒにおいて、テープ布７を接合点１０Ｌ、１０Ｒで裏地２１に部分的に（スポット的に）接合する。
【００１７】
接合点１０Ｌ、１０Ｒはテ−プ布７を安定させるためそれぞれ二箇所ずつ設けるのが好ましい。具体的には、下端縁３Ｌ、３Ｒと下側テープ生地１２との接点周辺と、該接点から上側テープ生地１３Ｌ、１３Ｒに至るライン上の中間点付近が好適である（図３参照）。しかし、これらの箇所に限定されることはなく、例えばカップ２Ｌ、２Ｒ間の連結部９と下端縁３Ｌ、３Ｒとに渡って接合点１０Ｌ、１０Ｒを設けても構わないし、また接合点の数は二箇所に限定されることもない（二箇所以上設けても良い）。
【００１８】
上記接合点はワイヤ８の長手方向の間隔をおいて設けられる。従って上記接合点間、つまり部分接合部間においてはテープ布７は裏地２１に接合されない。従って、前記部分接合部間においてはワイヤ８と裏地２１は分離される（分離部２４が設けられる）。
カップ２Ｌ、２Ｒは上述のように構成されるので、表地２０と裏地２１は互いに密着せず、またテープ布７と裏地２１も互いに密着しない。上述のように、ワイヤ８がカップ２Ｌ、２Ｒ内で移動しないように固定しても、その固定は接合点における部分的なものである。従って前記接合点間においては、ワイヤ８を封入したテープ布７と裏地２１の間には分離部２４が設けられ（図２参照）、該分離部２４により裏地２１の動きが表地２０に伝わることがなく、カップの保形性が保たれると共にカップ２の通気性を確保することができる。よって先述したように、洗濯後の乾きが速くなり、着用時のムレを軽減することができる。
【００１９】
またワイヤ８がテープ布７に封入され、更にカップ２Ｌ、２Ｒの内部に接合されているため、ワイヤ８と肌の間に複数枚の布が存在することになる。上述の分離部２４によってワイヤ８と肌の間に距離も生じ、この距離と前記複数枚の布によりワイヤ８の肌当たり感が更に優しくなって、着用時の圧迫感が大幅に軽減される。
次に本実施形態にかかるカップ２Ｌ、２Ｒを構成する際の具体的手順について説明する。前述の表側土台生地５ａは、上側の端縁を表地２０側へ折り返して表地２０の下側の端縁の表側に当接され、裏側土台生地５ｂは、上側の端縁を裏地側へ折り返して裏地２１の下側の端縁の肌側に当接される。次に、前記表地２０と前記裏地２１の間に、ワイヤ８が封入された袋状のテープ布７を挿入する。
【００２０】
ここで表地２０側について、カップの表側から順に表側土台生地５ａ、５ａ（折り返され、二枚重ねになっている）、表地２０、テープ布７を重ねた状態で、テープ布７に封入されているワイヤ８の上下の二箇所において、すなわち第１接合部位２２（上側）と第２接合部位２３（下側）においてこれらを一体に接合する。
また裏地２１側について、肌側から順に裏側土台生地５ｂ、５ｂ（折り返され、二枚重ねになっている）、裏地２１を重ねて、表地２０の場合と同様にワイヤ８の上下二箇所において、すなわち第３接合部位２５（上側）と第４接合部位２６（下側）において一体に接合する。
【００２１】
表側土台生地５ａ及び裏側土台生地５ｂそれぞれの下側の端縁は、裏側土台生地５ｂを表側土台生地５ａが抱き込むようにしてそれぞれ肌側へ向かって折り返され、表側土台生地５ａの肌側に下側テープ生地１２を当接して、上下二箇所、すなわち第５接合部位２７（上側）と第６接合部位２８（下側）においてこれらを一体に接合する。
図４は本発明のワイヤ入りブラジャーに係る第２実施形態である。本実施形態においては、ワイヤ８を封入した袋状のテープ布７と、裏地２１と裏側土台生地５ｂが、上下二箇所において一体に接合される。接合されたテープ布７は、表地２０に対して点接合される。その他の構造については、前述の第１実施形態と同様である。
【００２２】
また図５は本発明のワイヤ入りブラジャーに係る第３実施形態である。土台生地５は全体として一枚の生地で（表側土台生地５ａと裏側土台生地５ｂが一体形成されている）、前記表地２０と裏地２１の下端縁を挟むように断面Ｖ字状に構成される。該Ｖ字の谷部両外側のうちの肌側に、前述の下側テープ生地１２を当接して、土台生地５と前記下側テープ生地１２を上下二箇所、すなわち第５接合部位２７（上側）と第６接合部位２８（下側）において一体に接合する。
前述した第１、第２実施形態と比較して、二枚の土台生地を接合する手間が省けて製造工程上好適である。本実施形態においては、ワイヤ８及びテープ布７は表地２０側に接合されているが、裏地２１側に接合されても構わない。
【００２３】
なお、上述のすべての実施形態においては以下に述べる手段を採用することもできる。
ワイヤ８の長手方向に直交する面における断面形は長方形であるが（図２、４、５参照）これに限定されるものではなく、前記断面形は例えば円形、楕円形、長方形以外の多角形等であっても構わない。またワイヤ８は左右のカップ２Ｌ、２Ｒにそれぞれ別体となって設けられているが、一体となって設けられていても構わない。またワイヤ８の設置箇所はカップ下端縁３Ｌ、３Ｒのみに限定されるものではなく、少なくとも下端縁３Ｌ、３Ｒに設ければ更にカップ２Ｌ、２Ｒの上端縁に設けても構わない。
【００２４】
下側テープ生地１２、上側テープ生地１３Ｌ、１３Ｒは裏側土台生地５ｂの肌側に接合されているがこの箇所に限定されるものではなく、表側土台生地５ａと裏側土台生地５ｂの間に接合してもかまわないし、表側土台生地５ａの表側（外側）に接合してもかまわない。
また連結部９は、着用時の圧迫感をなくすためにカップ２Ｌ、２Ｒを離して設けているが、必ずしも離して設ける必要はない。例えば両方の乳房を中央に寄せたい場合はカップ２Ｌ、２Ｒを離さなくてもよい。
【００２５】
また土台生地５は、上述の実施形態ではカップ生地と別体である例が説明されているが、カップ生地と一体になって構成されていても構わない。
上述のすべての実施形態においては、接合手段として縫着を採用しているがこの手段のみに限られることはない。例えば接着等の手段を採用することも可能である。またワイヤは形状記憶合金であっても構わない。
また上述のすべての実施形態においては、ワイヤ８はテープ布７を介してカップ生地に接合されているが、テープ布７を介さずに接合することも可能である。
【００２６】
【発明の効果】
本発明のワイヤ入りブラジャーによれば、ワイヤをカップ生地の表地または裏地のどちらか一方に接合し、他方とは分離して構成したので、表地と裏地が一体接合されない。従って、乳房の動きにより裏地が動いても、この動きが表地まで伝わることはなく、カップの保形性を維持することができる。
【図面の簡単な説明】
【図１】  本発明の第１実施形態にかかるワイヤ入りブラジャーの斜視図である。
【図２】  図１のＡ−Ａ線における断面図である。
【図３】  本発明の第１実施形態にかかるワイヤ入りブラジャーの背面図である。
【図４】  本発明の第２実施形態にかかるワイヤ入りブラジャーの、図１におけるＡ−Ａ線断面図である。
【図５】  本発明の第３実施形態にかかるワイヤ入りブラジャーの、図１におけるＡ−Ａ線断面図である。
【図６】  従来のワイヤ入りブラジャーにかかる、図１におけるＡ−Ａ線断面図である。
【符号の説明】
１  ワイヤ入りブラジャー
２Ｌ、２Ｒ  カップ
３Ｌ、３Ｒ  下端縁
５  土台生地
５ａ  表側土台生地
５ｂ  裏側土台生地
６Ｌ、６Ｒ  背面布
７  テープ布
８  ワイヤ
９  連結部
１０Ｌ、１０Ｒ  接合点
１２  下側テープ生地
１３Ｌ、１３Ｒ  上側テープ生地
１４Ｌ、１４Ｒ  掛止生地
１６  雄型掛止部材
１８  雌型掛止部材
２０  表地
２１  裏地
２４  分離部
【図１】
0004170453.tif 000002
【図２】
0004170453.tif 000003
【図３】
0004170453.tif 000004
【図４】
0004170453.tif 000005
【図５】
0004170453.tif 000006
【図６】
0004170453.tif 000007